(57)【要約】【課題】番組の内容に適した音声処理や音声出力に関する設定を容易に行う。【解決手段】番組種別判別部３４は、EPG取得部３１により制御されて取得され、EPGメモリ３３に記憶されているEPG情報から番組の種別を判別する。音声処理部１３は、音声信号処理を行う音声データの番組について、番組種別判別部３４を制御してその番組の種別に関する情報を取得し、その番組の種別に関する情報に基づいて、音設定情報記憶部３７に記憶されている音設定情報の中から、その番組の種別に最適な音設定情報を選択して取得し、その設定に基づいて音声信号処理を行う。本発明は、例えば、テレビジョン信号受信装置に適用できる。【選択図】図１
2006025036.tif 000002
【特許請求の範囲】
【請求項１】
放送局より送信されるテレビジョン信号を受信する情報処理装置において、
前記放送局が前記テレビジョン信号を送信することによって放送される番組を紹介する電子番組ガイド情報を取得する取得手段と、
前記取得手段により取得された前記電子番組ガイド情報に基づいて、受信された前記テレビジョン信号に対応する番組の種別を判別する種別判別手段と、
前記種別判別手段により判別された前記番組の種別に応じて、前記番組の音声データを処理する音声処理の設定を決定する音設定決定手段と
を備えることを特徴とする情報処理装置。
【請求項２】
前記音設定決定手段により決定された前記音声処理の設定に基づいて、前記音声データを処理する音声処理手段をさらに備える
ことを特徴とする請求項１に記載の情報処理装置。
【請求項３】
前記音声処理手段により処理された前記音声データに対応する音声を出力する音声出力手段をさらに備える
ことを特徴とする請求項２に記載の情報処理装置。
【請求項４】
前記音声データを処理し、前記音声データに対応する音声を出力する他の装置を電気的に接続する接続手段と、
前記接続手段により電気的に接続された前記他の装置に対して前記音声データを供給する音声データ供給手段と、
前記音設定決定手段により決定された前記音声処理の設定に基づいて、前記接続手段により電気的に接続された前記他の装置による、前記音声データ供給手段により供給された前記音声データに対する音声処理を制御する制御手段と
をさらに備えることを特徴とする請求項１に記載の情報処理装置。
【請求項５】
受信された前記テレビジョン信号に含まれる前記音声データを所定の記録媒体に記録する記録手段をさらに備える
ことを特徴とする請求項１に記載の情報処理装置。
【請求項６】
前記音設定決定手段により決定された前記音声処理の設定に基づいて、前記音声データを処理する音声処理手段をさらに備え、
前記記録手段は、前記音声処理手段により処理された前記音声データを前記記録媒体に記録する
ことを特徴とする請求項５に記載の情報処理装置。
【請求項７】
前記記録手段は、前記音声データと、前記音設定決定手段により決定された前記音声処理の設定に関する情報を関連付けて、前記記録媒体に記録する
ことを特徴とする請求項５に記載の情報処理装置。
【請求項８】
前記種別判別手段により判別された前記番組の種別に応じて、前記番組の音声データを圧縮する圧縮率を決定する圧縮率決定手段と、
前記圧縮率決定手段により決定された前記圧縮率により、前記音声データを圧縮する圧縮手段と
をさらに備え、
前記記録手段は、前記圧縮手段により圧縮された前記音声データを前記記録媒体に記録する
ことを特徴とする請求項５に記載の情報処理装置。
【請求項９】
放送局より送信されるテレビジョン信号を受信する情報処理装置の情報処理方法であって、
前記放送局が前記テレビジョン信号を送信することによって放送される番組を紹介する電子番組ガイド情報の取得を制御する取得制御ステップと、
前記取得制御ステップの処理により制御されて取得された前記電子番組ガイド情報に基づいて、受信された前記テレビジョン信号に対応する番組の種別を判別する種別判別ステップと、
前記種別判別ステップの処理により判別された前記番組の種別に応じて、前記番組の音声データを処理する音声処理の設定を決定する音設定決定ステップと
を含むことを特徴とする情報処理方法。
【請求項１０】
放送局より送信されるテレビジョン信号を受信する処理を、コンピュータに行わせるプログラムにおいて、
前記放送局が前記テレビジョン信号を送信することによって放送される番組を紹介する電子番組ガイド情報の取得を制御する取得制御ステップと、
前記取得制御ステップの処理により制御されて取得された前記電子番組ガイド情報に基づいて、受信された前記テレビジョン信号に対応する番組の種別を判別する種別判別ステップと、
前記種別判別ステップの処理により判別された前記番組の種別に応じて、前記番組の音声データを処理する音声処理の設定を決定する音設定決定ステップと
を含むことを特徴とするプログラム。
【発明の詳細な説明】
【技術分野】
【０００１】
本発明は、情報処理装置および方法、並びにプログラムに関し、特に、例えば、番組の内容に適した音声処理や音声出力に関する設定を容易に行うことができるようにする情報処理装置および方法、記録媒体、並びにプログラムに関する。
【背景技術】
【０００２】
従来、テレビジョン放送等において、視聴者であるユーザに対して、いわゆる新聞のラジオ・テレビ欄に相当する、番組の放送スケジュールを示す電子番組ガイド情報であるEPG（Electronic Program Guide）が提供されるサービスが存在する。このEPGは、例えば、放送局から、１日に数回、所定のタイミングで、テレビジョン信号として放送され、視聴者側に提供される。また、それ以外にも、例えば、HTML（HyperText Markup Language）等により記述されたEPGを提供するサーバが、視聴者側の要求に基づいて、インターネット等を介して、そのEPGをWEBページとして視聴者側に提供する方法もある。
【０００３】
近年、このように提供されるEPGの情報を利用し、そのEPGによって特定される番組の内容（例えば、ジャンル（種別）等）に応じて、画像処理や画像表示に関する設定を行う方法が考えられている（例えば、特許文献１参照）。このように画像信号処理や画像表示処理を制御することにより、そのEPGに対応するテレビジョン信号を受信して、番組（放送コンテンツ）を表示するテレビジョン信号受信装置は、各番組の内容に応じて最適な画像信号処理や画像表示処理を行い、最適な画質の映像を視聴者に提供することができる。
【０００４】
【特許文献１】特開２００１−２５１５６７号公報
【発明の開示】
【発明が解決しようとする課題】
【０００５】
ところで、近年においては、情報処理技術の向上とともに、家庭用AV（Audio Visual）機器の性能も向上している。このような家庭用AV機器は、より臨場感のある視聴体験をユーザに提供するべく、音声信号に、高精度な信号処理等を施し、より高音質な音声を出力する。また、その信号処理方法の種類も増加しており、家庭用AV機器は、各種の方法を用いることにより、様々なサラウンド処理やイコライズ処理を行い、よりユーザの好みに応じた音質の（ユーザが指定するサラウンド設定やイコライズ設定に基づいて処理した）音声を提供するようになってきている。
【０００６】
しかしながら、以上のような方法においては、音声信号処理の設定を番組の内容に応じて行うことができないという課題があった。例えば、映画を視聴する場合に最適な音声設定と、ニュース番組を視聴する場合に最適な音声設定は互いに異なる。映画の音声は、より臨場感を演出し、迫力のある効果を付したものであることが望ましいが、ニュース番組の音声は、アナウンサーの発声する音声が聞き取りやすいように調整されることが望ましい。すなわち、視聴される番組の内容によって、最適な音声処理の方法はことなるが、上述したような場合の家庭用AV機器は、サラウンド設定やイコライズ設定等のような音声処理に関する設定を、視聴者であるユーザが指示しなければならなかった。
【０００７】
特に、テレビジョン番組のように、多チャンネルにおいてブロードキャストされる放送コンテンツを視聴する場合、視聴者であるユーザは、そのコンテンツを受信する受信装置を操作し、コンテンツを受信するチャンネルを適宜切り替えながら、放送コンテンツを視聴する。従って、ユーザは、番組の内容に応じて最適な音声処理設定を行う場合、チャンネルを切り替える度に設定のやり直しを行わなければならず煩雑な作業を必要とした。
【０００８】
また、近年においては、例えば、所謂、シアターシステムのように、テレビジョン信号を受信した装置とは異なる外部機器を用いて音声処理を行い、その処理した音声を出力する方法もある。そのような場合、視聴者であるユーザは、各装置の設定を適宜行わなければならず、番組の内容に最適な状態で音声を出力させるためにはさらに煩雑な作業を必要とした。
【０００９】
本発明は、このような状況に鑑みてなされたものであり、例えば、番組の内容に適した音声処理や音声出力に関する設定を容易に行うことができるようにするものである。
【課題を解決するための手段】
【００１０】
本発明の情報処理装置は、放送局がテレビジョン信号を送信することによって放送される番組を紹介する電子番組ガイド情報を取得する取得手段と、取得手段により取得された電子番組ガイド情報に基づいて、受信されたテレビジョン信号に対応する番組の種別を判別する種別判別手段と、種別判別手段により判別された番組の種別に応じて、番組の音声データを処理する音声処理の設定を決定する音設定決定手段とを備えることを特徴とする。
【００１１】
前記音設定決定手段により決定された音声処理の設定に基づいて、音声データを処理する音声処理手段をさらに備えるようにすることができる。
【００１２】
前記音声処理手段により処理された音声データに対応する音声を出力する音声出力手段をさらに備えるようにすることができる。
【００１３】
前記音声データを処理し、音声データに対応する音声を出力する他の装置を電気的に接続する接続手段と、接続手段により電気的に接続された他の装置に対して音声データを供給する音声データ供給手段と、音設定決定手段により決定された音声処理の設定に基づいて、接続手段により電気的に接続された他の装置による、音声データ供給手段により供給された音声データに対する音声処理を制御する制御手段とをさらに備えるようにすることができる。
【００１４】
受信されたテレビジョン信号に含まれる音声データを所定の記録媒体に記録する記録手段をさらに備えるようにすることができる。
【００１５】
前記音設定決定手段により決定された音声処理の設定に基づいて、音声データを処理する音声処理手段をさらに備え、記録手段は、音声処理手段により処理された音声データを記録媒体に記録するようにすることができる。
【００１６】
前記記録手段は、音声データと、音設定決定手段により決定された音声処理の設定に関する情報を関連付けて、記録媒体に記録するようにすることができる。
【００１７】
前記種別判別手段により判別された番組の種別に応じて、番組の音声データを圧縮する圧縮率を決定する圧縮率決定手段と、圧縮率決定手段により決定された圧縮率により、音声データを圧縮する圧縮手段とをさらに備え、記録手段は、圧縮手段により圧縮された音声データを記録媒体に記録するようにすることができる。
【００１８】
本発明の情報処理方法は、放送局がテレビジョン信号を送信することによって放送される番組を紹介する電子番組ガイド情報の取得を制御する取得制御ステップと、取得制御ステップの処理により制御されて取得された電子番組ガイド情報に基づいて、受信されたテレビジョン信号に対応する番組の種別を判別する種別判別ステップと、種別判別ステップの処理により判別された番組の種別に応じて、番組の音声データを処理する音声処理の設定を決定する音設定決定ステップとを含むことを特徴とする。
【００１９】
本発明のプログラムは、放送局がテレビジョン信号を送信することによって放送される番組を紹介する電子番組ガイド情報の取得を制御する取得制御ステップと、取得制御ステップの処理により制御されて取得された電子番組ガイド情報に基づいて、受信されたテレビジョン信号に対応する番組の種別を判別する種別判別ステップと、種別判別ステップの処理により判別された番組の種別に応じて、番組の音声データを処理する音声処理の設定を決定する音設定決定ステップとをコンピュータに実行させる。
【００２０】
本発明の情報処理装置および方法、並びにプログラムにおいては、放送局がテレビジョン信号を送信することによって放送される番組を紹介する電子番組ガイド情報が取得され、その取得された電子番組ガイド情報に基づいて、受信されたテレビジョン信号に対応する番組の種別が判別され、その判別された番組の種別に応じて、番組の音声データを処理する音声処理の設定が決定される。
【発明の効果】
【００２１】
本発明によれば、例えば、番組の内容に適した音声処理や音声出力に関する設定を容易に行うことができる。
【発明を実施するための最良の形態】
【００２２】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２３】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００２４】
本発明においては、放送局より送信されるテレビジョン信号を受信する情報処理装置（例えば、図１のテレビジョン信号受信装置１）が提供される。この情報処理装置では、放送局がテレビジョン信号を送信することによって放送される番組を紹介する電子番組ガイド情報（例えば、図２のEPG情報６１）を取得する取得手段（例えば、図１のEPG取得部３１）と、取得手段により取得された電子番組ガイド情報に基づいて、受信されたテレビジョン信号に対応する番組の種別を判別する種別判別手段（例えば、図１の番組種別判別部３４）と、種別判別手段により判別された番組の種別に応じて、番組の音声データを処理する音声処理の設定を決定する音設定決定手段（例えば、図９のステップＳ８７の処理を実行する図１の音声処理部１３）とを備える。
【００２５】
前記音設定決定手段により決定された音声処理の設定に基づいて、音声データを処理する音声処理手段（例えば、図９のステップＳ８８の処理を実行する図１の音声処理部１３）をさらに備えるようにすることができる。
【００２６】
前記音声処理手段により処理された音声データに対応する音声を出力する音声出力手段（例えば、図１のスピーカ１６）をさらに備えるようにすることができる。
【００２７】
前記音声データを処理し、音声データに対応する音声を出力する他の装置（例えば、図１の外部機器５１）を電気的に接続する接続手段（例えば、図１の外部機器接続インタフェース１７）と、接続手段により電気的に接続された他の装置に対して音声データを供給する音声データ供給手段（例えば、図８のステップＳ６９の処理を実行する図１の外部機器接続インタフェース１７）と、音設定決定手段により決定された音声処理の設定に基づいて、接続手段により電気的に接続された他の装置による、音声データ供給手段により供給された音声データに対する音声処理を制御する制御手段（例えば、図８のステップＳ６８の処理を実行する図１の外部機器制御部３８）とをさらに備えるようにすることができる。
【００２８】
受信されたテレビジョン信号に含まれる音声データを所定の記録媒体（例えば、図１の記録媒体１９またはリムーバブルメディア２０）に記録する記録手段（例えば、図４の記録制御部７２）をさらに備えるようにすることができる。
【００２９】
前記音設定決定手段により決定された音声処理の設定に基づいて、音声データを処理する音声処理手段（例えば、図１０のステップＳ１０８の処理を実行する図１の音声処理部１３）をさらに備え、記録手段は、音声処理手段により処理された音声データを記録媒体に記録する（例えば、図１０のステップＳ１０９）ようにすることができる。
【００３０】
前記記録手段は、音声データと、音設定決定手段により決定された音声処理の設定に関する情報を関連付けて、記録媒体に記録する（例えば、図１１のステップＳ１２８）ようにすることができる。
【００３１】
前記種別判別手段により判別された番組の種別に応じて、番組の音声データを圧縮する圧縮率を決定する圧縮率決定手段（例えば、図１２のステップＳ１４７の処理を実行する図１の音声処理部１３）と、圧縮率決定手段により決定された圧縮率により、音声データを圧縮する圧縮手段（例えば、図１２のステップＳ１４８の処理を実行する図１の音声処理部１３）とをさらに備え、記録手段は、圧縮手段により圧縮された音声データを記録媒体に記録する（例えば、図１２のステップＳ１４９）ようにすることができる。
【００３２】
本発明においては、放送局より送信されるテレビジョン信号を受信する情報処理装置（例えば、図１のテレビジョン信号受信装置１）の情報処理方法が提供される。この情報処理方法においては、放送局がテレビジョン信号を送信することによって放送される番組を紹介する電子番組ガイド情報（例えば、図２のEPG情報６１）の取得を制御する取得制御ステップ（例えば、図６のステップＳ２１）と、取得制御ステップの処理により制御されて取得された電子番組ガイド情報に基づいて、受信されたテレビジョン信号に対応する番組の種別を判別する種別判別ステップ（例えば、図７のステップＳ４２）と、種別判別ステップの処理により判別された番組の種別に応じて、番組の音声データを処理する音声処理の設定を決定する音設定決定ステップ（例えば、図９のステップＳ８７）とを含む。
【００３３】
本発明においては、放送局より送信されるテレビジョン信号を受信する処理を、コンピュータ（例えば、図１のテレビジョン信号受信装置１）に行わせるプログラムが提供される。このプログラムは、放送局がテレビジョン信号を送信することによって放送される番組を紹介する電子番組ガイド情報（例えば、図２のEPG情報６１）の取得を制御する取得制御ステップ（例えば、図６のステップＳ２１）と、取得制御ステップの処理により制御されて取得された電子番組ガイド情報に基づいて、受信されたテレビジョン信号に対応する番組の種別を判別する種別判別ステップ（例えば、図７のステップＳ４２）と、種別判別ステップの処理により判別された番組の種別に応じて、番組の音声データを処理する音声処理の設定を決定する音設定決定ステップ（例えば、図９のステップＳ８７）とを含む。
【００３４】
以下に、本発明の実施の形態について図面を参照して説明する。
【００３５】
図１は、本発明を適用した、テレビジョン信号受信装置の一実施の形態の構成例を示している。
【００３６】
図１において、テレビジョン信号受信装置１は、図示せぬ放送局より電波によって送信されるテレビジョン信号（放送される番組（放送コンテンツ））を受信し、その映像をモニタに表示し、音声をスピーカから出力する装置である。また、このテレビジョン信号受信装置１は、後述するようにハードディスク等よりなる記録媒体や、ドライブに装着されたフラッシュメモリやDVD等のリムーバブルメディアに、受信したテレビジョン信号の映像（番組）を記録する。さらに、このテレビジョン信号受信装置１には、音響処理用の外部機器が接続され、この外部機器を介して音声を出力させるようにすることもできる。
【００３７】
すなわち、図１のテレビジョン信号受信装置１は、所謂テレビとしての機能と、所謂ビデオレコーダとしての機能と、所謂テレビチューナとしての機能とを有する。勿論、これら以外の機能をさらに有するようにしてもよい。
【００３８】
図１に示されるように、テレビジョン信号受信装置１は、チューナ１１、画像処理部１２、音声処理部１３、出力処理部１４、モニタ１５、スピーカ１６、外部機器接続インタフェース１７、記録・再生制御部１８、記録媒体１９、ドライブ２０、EPG取得部３１、通信部３２、EPGメモリ３３、番組種別判別部３４、計時部３５、入力部３６、音設定情報記憶部３７、外部機器制御部３８、および外部機器制御設定情報記憶部３９を有する。
【００３９】
チューナ１１は、アンテナ１１Ａを有しており、例えばユーザ指示に基づく等して受信するチャンネル（周波数）を調整し、アンテナ１１Ａを介して所望のチャンネル（周波数）のテレビジョン信号（放送波）を受信する。チューナ１１は、その受信したテレビジョン信号に含まれる画像データを抽出して画像処理部１２に供給するとともに、受信したテレビジョン信号より音声データを抽出して音声処理部１３に供給する。また、チューナ１１は、テレビジョン信号（放送波）としてブロードキャスト（放送）されたEPG（Electronic Program Guide）情報（電子番組ガイド情報）を取得し、それをEPG取得部３１に供給する。
【００４０】
画像処理部１２は、チューナ１１から供給された画像データに対して各種の画像処理を施し、それを出力処理部１４に供給する。音声処理部１３は、チューナ１１から供給された音声データに対して各種の音声信号処理（例えば、イコライズ処理やサラウンド処理等）を施し、それを出力処理部１４に供給する。このとき、音声処理部１３は、音声信号処理を行う音声データの番組について、番組種別判別部３４を制御してその番組の種別に関する情報を取得し、その番組の種別に関する情報に基づいて、音設定情報記憶部３７に記憶されている音設定情報の中から、（音声信号処理を行う音声データに対応する番組の種別に）最適な音設定情報を選択して取得し、その設定に基づいて音声信号処理を行う。このようにすることにより、音声処理部１３は、出力する（または記録する）番組の内容に応じて音声信号処理を実行することができ、ユーザに最適な音声環境を提供することができる。
【００４１】
出力処理部１４は、ユーザの指示等に基づいて、画像処理部１２より供給される画像データ、および音声処理部１３より供給される音声データの出力先を決定し、供給された画像データや音声データを、その出力先に供給する。
【００４２】
モニタ１５は、例えば、図示せぬビデオメモリや表示制御プロセッサ等よりなる表示制御部と、CRT（Cathode Ray Tube）やLCD（Liquid Crystal Display）等のディスプレイにより構成され、出力処理部１４より供給された画像データに対応する画像を表示する。スピーカ１６は、例えば、図示せぬ信号増幅器や信号出力制御装置と複数（例えば２つ）のスピーカにより構成され、出力処理部１４より供給される音声データをチャンネルごとに各スピーカに振り分け、それぞれのスピーカより、音声データの各チャンネルに対応する音声を出力する。外部機器接続インタフェース１７は、他の装置（外部機器５１）が接続されるインタフェースである。例えば、外部機器接続インタフェース１７は、出力処理部１４より供給される音声データを外部機器５１に供給する。また、外部機器接続インタフェース１７は、外部機器制御部３８と外部機器５１との通信を中継する。
【００４３】
記録・再生制御部１８は、出力処理部１４より供給される画像データや音声データを、記録媒体１９や、ドライブ２０に正常に装着されたリムーバブルメディア５２に記録する。また、記録・再生制御部１８は、記録媒体１９や、ドライブ２０に正常に装着されたリムーバブルメディア５２に記録されている画像データや音声データを読み出して再生し、それらをそれぞれ画像処理部１２や音声処理部１３に供給する。記録媒体１９は、例えば、ハードディスクやフラッシュメモリ等の、不揮発性の大容量記録媒体により構成される。ドライブ２０は、正常に装着されたリムーバブルメディア５２に対して、データの読み出しや書き込み等の処理を行う。
【００４４】
EPG取得部３１は、チューナ１１より供給されるEPG情報（電子番組ガイド情報）を取得する。また、EPG取得部３１は、通信部３２を制御し、インターネットやLAN（Local Area Network）等に代表されるネットワーク５３を介して図示せぬサーバにアクセスし、WEBページとしてのEPG情報を取得する。以上のようにEPG情報を取得したEPG取得部３１は、取得したEPG情報をEPGメモリ３３に供給する。通信部３２は、ネットワーク５３を介して図示せぬサーバと、例えばTCP/IP（Transmission Control Protocol/Internet Protocol）等ような所定のプロトコルにより通信を行い、EPG取得部３１に制御されて、そのサーバよりEPG情報を取得し、それをEPG取得部３１に供給する。
【００４５】
EPGメモリ３３は、例えば、DRAM（Dynamic Random Access Memory）等により構成され、EPG取得部３１より供給されたEPG情報を記憶する。また、EPGメモリ３３は、必要に応じて番組種別判別部３４にそれを供給する。さらに、EPGメモリ３３は、番組種別判別部３４より供給される番組種別情報をEPG情報の番組に関連付けて記憶する。
【００４６】
番組種別判別部３４は、EPGメモリ３３に記憶されているEPG情報から番組の種別を判別する。また、番組種別判別部３４は、その判別結果を番組種別情報としてEPGメモリ３３に記憶させる。さらに、番組種別判別部３４は、音声処理部１３や外部機器制御部３８の要求に基づいて、EPGメモリ３３より番組種別情報を読み出し、種別判別結果としてそれを要求元に供給する。例えば、番組種別判別部３４は、音声処理部１３から、現在選局されているチャンネルの情報を取得し、さらに、時刻情報を提供する計時部３５より現在時刻の情報を取得し、それらの情報に基づいて、EPGメモリ３３より所望の番組の番組種別情報を取得する。
【００４７】
音設定情報記憶部３７は、例えば、キーボードやマウス等の入力デバイスまたは外部入力端子等により構成される入力部３６より入力された、番組種別に対応する、音声信号処理や音声出力に関する設定情報である音設定情報を保持し、必要に応じて音声処理部１３にそれを供給する。
【００４８】
外部機器制御部３８は、外部機器接続インタフェース１７を介して接続される外部機器５１に対する制御処理を行う。例えば、外部機器制御部３８は、番組種別判別部３４より番組種別情報を取得し、外部機器制御設定情報記憶部３９より外部機器制御設定情報を読み出し、それらの情報を用いて、外部機器５１における音声出力に関する設定を制御する。外部機器制御設定情報記憶部３９は、例えば、フラッシュメモリやハードディスク等の不揮発性のメモリからなり、外部機器制御部３８が制御する外部機器５１の音声出力に関する設定を制御するための情報である外部機器制御設定情報を記憶する。
【００４９】
外部機器５１は、外部機器接続インタフェースと電気的に接続可能なインタフェースを有するテレビジョン信号受信装置１とは異なる装置である。例えば、外部機器５１は、サラウンドスピーカシステムを制御するシステムコントローラであり、テレビジョン信号受信装置１が対応していない多チャンネル方式によって音声出力等を行うことができる。このように、外部機器５１は、テレビジョン信号受信装置１が備えていない機能を補完するために接続される。
【００５０】
リムーバブルメディア５２は、磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなり、ドライブ２０に正しく接続された状態において、ドライブ２０を介して情報が記録されたり、既に記録されている情報が読み出されたりする。
【００５１】
図２は、図１のEPGメモリ３３が記憶する情報の例を説明する図である。EPGメモリ３３は、上述したように、EPG取得部３１より供給されたEPG情報６１を記憶する。また、EPGメモリ３３は、番組種別判別部３４により番組毎に判別された番組種別情報６２を、EPG情報６１と、番組毎に関連付けて記憶する。このようにEPG情報６１の各番組と番組種別情報６２を関連付けて記憶することにより、EPGメモリ３３は、番組種別判別部３４による番組の指定に基づいて、その番組に対応する番組種別情報６２を提供することができる。
【００５２】
なお、EPGメモリ３３は、このEPG情報６１と番組種別情報６２を、図３に示されるような１つのテーブルとして記憶するようにしてももちろんよい。図３は、EPGメモリ３３に記憶されるEPG情報６１と番組種別情報６２の情報からなるテーブルの構成例を示す図である。図３において、テーブル６３の各行は、チャンネル６３Ａ、番組名６３Ｂ、開始時刻６３Ｃ、終了時刻６３Ｄ、および番組種別６３Ｅの５項目により構成されている。例えば、上から２行目の情報の各項目の値は、チャンネル６３Ａが「１」であり、番組名６３Ｂが「サッカー」であり、開始時刻６３Ｃが「１３：００」であり、終了時刻６３Ｄが「１５：００」であり、番組種別６３Ｅが「スポーツ」である。この情報は、「１」チャンネルにおいて、「スポーツ」のジャンルの、「サッカー」という番組名の番組が、「１３：００」から「１５：００」まで放送されることを示している。なお、このチャンネル６３Ａ乃至終了時刻６３Ｄは、EPG情報６１の情報であり、番組種別６３Ｅが番組種別情報６２の情報である。このように、EPGメモリ３３は、EPG情報６１と番組種別情報６２とを互いに関連付けたテーブル６３として記憶するようにしてもよい。
【００５３】
図４は、図１の記録・再生制御部１８の内部の構成例を説明する図である。
【００５４】
図４において、記録・再生制御部１８は、再生制御部７１と記録制御部７２により構成される。再生制御部７１は、記録媒体１９、またはドライブ２０に装着されたリムーバブルメディア５２に記録されている情報（画像データや音声データ等）を読み出して再生し、再生した画像データを画像処理部１２に供給し、再生した音声データを音声処理部１３に供給する。記録制御部７２は、出力処理部１４より供給された画像データや音声データを、記録媒体１９、またはドライブ２０に装着されたリムーバブルメディア５２に供給して記録させる。
【００５５】
次に、以上のように構成されるテレビジョン信号受信装置１において実行される具体的な処理について説明する。最初に、入力部３６および音設定情報記憶部３７が実行する音設定情報記憶処理について説明する。
【００５６】
音設定情報は、番組種別に応じて設定する音声信号処理や音声出力の方法を決定する情報である。
【００５７】
例えば、サッカー等のようなスポーツ番組に対して、人の声の音域が弱められて実況者の声が小さくされ、さらに、ボールを蹴る音等が強調されるようにイコライズ処理を制御し、１つの音声（例えば、ボールを蹴る音、または歓声等）を出力するスピーカの数が少なくされて音声が発声される方向（ボールが蹴られた位置、または歓声のあがった方向等）が強調されるようにサラウンド処理を制御する制御情報が関連付けられている。
【００５８】
また、例えば、ニュース番組に対しては、キャスター等の声の音域が強調されるようにイコライズ処理を制御したり、どのスピーカからも均一に音声が出力されるようにサラウンド処理を制御したりする制御情報が関連付けられている。
【００５９】
さらに、例えば、映画番組に対しては、音の強弱を強調させて臨場感が増すようにイコライズ処理を制御したり、各スピーカより互いに異なる音声を出力させて臨場感が増すようにサラウンド処理を制御したりする制御情報が関連付けられている。
【００６０】
また、例えば、音楽番組に対しては、音が滑らかに繋がるようにイコライズ処理を制御したり、各スピーカより互いに異なる音声を出力させて臨場感が増すようにし、さらに、高音域と低音域で出力するスピーカを分離して音に深みを与える等の特別な効果を持たせるようにサラウンド処理を制御したりする制御情報が関連付けられている。
【００６１】
このように音声信号処理を番組の種別（ジャンル）毎に異なる設定にする音設定情報を記憶するための音設定情報記憶処理を図５のフローチャートを参照して説明する。音設定情報記憶処理を開始するタイミングは、音設定情報が利用されるより前であれば、どのようなタイミングであってもよく、例えば、予め設定されたスケジュールに基づいて実行されるようにしてもよいし、ユーザからの指示に基づいて実行されるようにしてもよい。
【００６２】
音設定情報を記憶するための音設定情報記憶処理を開始すると、音設定情報記憶部３７は、最初に、ステップＳ１において、入力部３６を制御して音設定情報の入力を受け付けさせる。入力部３６は、音設定情報記憶部３７に制御され、音設定情報の入力を受け付ける。そして、ステップＳ２において音設定情報記憶部３７は、音設定情報が入力部３６に入力されたか否かを判定し、入力されていないと判定した場合、処理をステップＳ１に戻し、それ以降の処理を繰り返す。すなわち、音設定情報記憶部３７は、ステップＳ１およびステップＳ２の処理を繰り返しながら、音設定情報が入力されるまで待機する。
【００６３】
また、ステップＳ２において、音設定情報が入力部３６に入力されたと判定した場合、音設定情報記憶部３７は、処理をステップＳ３に進め、入力部３６に入力された音設定情報を取得し、それを記憶する。音設定情報を記憶した音設定情報記憶部３７は、ステップＳ４に処理を進め、音設定情報記憶処理を終了するか否かを判定し、終了しないと判定した場合、ステップＳ１に処理を戻し、それ以降の処理を繰り返す。
【００６４】
また、ステップＳ４において音設定情報記憶処理を終了すると判定した場合、音設定情報記憶部３７は、ステップＳ５に処理を進め、入力部３６による受け付けを終了する等の終了処理を行い、音設定情報記憶処理を終了する。
【００６５】
以上のように入力された音設定情報を記憶することにより、音声処理部１３は、後述するように、番組種別に応じて設定された（番組種別に適した）方法で音声信号処理を行うことができる。
【００６６】
次に、EPG情報６１を取得するEPG取得処理について図６のフローチャートを参照して説明する。EPG取得部３１は、例えば予め設定されたスケジュール等に基づいて、所定の時刻に、最新のEPG情報６１を取得するべくEPG取得処理を開始する。勿論、EPG取得処理は、ユーザ指示に基づいて非定期に行われてもよい。
【００６７】
最初に、EPG取得部３１は、ステップＳ２１においてEPG情報６１の受信処理を実行し、EPG情報を取得する。例えば、EPG取得部３１は、チューナ１１を制御して、テレビジョン信号として放送されるEPG情報６１を受信させ、その受信したテレビジョン信号よりEPG情報６１を抽出させ、その抽出したEPG情報６１をEPG取得部３１に供給させる。また、例えば、EPG取得部３１は、通信部３２を制御し、ネットワーク５３を介して所定のサーバにアクセスさせ、そのサーバからEPG情報６１を取得させ、それをEPG取得部３１に供給させる。EPG取得部３１は、ステップＳ２２において、このような受信処理によってEPG情報６１を取得したか否かを判定し、受信処理が終了しておらずEPG情報６１を取得していないと判定した場合、ステップＳ２１に処理を戻し、それ以降の処理を繰り返す。すなわち、EPG取得部３１は、EPG情報６１の受信処理が終了し、EPG情報６１を取得したと判定するまで待機する。
【００６８】
ステップＳ２２においてEPG情報６１を取得したと判定した場合、EPG取得部３１は、ステップＳ２３において、その取得したEPG情報６１をEPGメモリ３３に供給し、記憶させる。EPGメモリ３３は、EPG取得部３１に制御され、そのEPG取得部３１より供給されたEPG情報６１を記憶する。
【００６９】
ステップＳ２４において、EPG取得部３１は、EPG取得処理を終了するか否かを判定し、全てのEPG情報を取得しておらず、終了しないと判定した場合、ステップＳ２１に処理を戻し、それ以降の処理を繰り返す。また、ステップＳ２４において、今回取得するべきEPG情報６１を全て取得し、EPG取得処理を終了すると判定した場合、EPG取得部３１は、ステップＳ２５において終了処理を行い、EPG取得処理を終了する。
【００７０】
このようにEPG取得処理を実行することにより、EPG取得部３１は、EPG情報６１の取得に関する制御処理を容易に行うことができる。
【００７１】
以上のように取得したEPG情報６１に対して、番組種別判別部３４は、例えば、EPG取得部３１がEPG取得処理を実行した直後や、予め定められた所定の時刻等、所定のタイミングで解析処理を行い、EPG情報６１に含まれる各番組の種別（ジャンル）を判別する。そのEPG情報解析処理について図７のフローチャートを参照して説明する。
【００７２】
最初に、番組種別判別部３４は、ステップＳ４１において、EPGメモリ３３にアクセスし、EPGメモリ３３に記憶されているEPG情報６１を読み出す。EPG情報６１を読み出した番組種別判別部３４は、次に、ステップＳ４２において、取得したEPG情報６１に含まれる各番組について、EPG情報６１に含まれる各番組の、番組名、出演者、放送時間等の情報に基づいて、それぞれ番組種別を判定する。例えば、番組種別判別部３４は、番組名が「サッカー」の場合、その番組の番組種別（ジャンル）を「スポーツ」に設定する。勿論、番組種別判別部３４は、上述した以外の情報に基づいて番組種別を判定してもよいし、複数の情報から番組種別を判定するようにしてもよい。
【００７３】
番組種別判別部３４は、ステップＳ４３において、各番組について、番組種別を判定することができたか否かを判定し、判定することが出来たと判定した番組については、ステップＳ４４において、判定結果から番組種別情報６２を生成し、それをEPGメモリ３３に供給して記憶させる。EPGメモリ３３は、番組種別判別部３４に制御され、供給された番組種別情報６２を、（テーブル化するなどして）EPG情報６１の番組（番組種別情報６２に対応する番組）に関連付けて記憶し、EPG情報解析処理を終了する。
【００７４】
また、ステップＳ４３において、番組種別判別部３４は、番組種別を判定することができなかったと判定した番組については、ステップＳ４４の処理を省略し、EPG情報解析処理を終了する。
【００７５】
以上のようにEPG情報解析処理を各部が行うことにより、番組種別判別部３４は、容易にEPG情報の各番組をそのジャンル（種別）によって分類することができる。また、番組種別を判定することができた番組についてのみ、EPG情報６１と番組種別情報６２を関連付けるので、EPGメモリ３３は、不要な記憶領域の使用を抑制することができ、記憶領域を節約し、より有効に使用することができる。さらに、番組種別判別部３４が、このように各番組のジャンル（種別）を判別し、EPGメモリ３３がその番組種別情報６２をEPG情報６１の各番組に対応させて記憶することにより、テレビジョン受信装置１は、出力する（または記録する）番組の内容に応じて音声信号処理を実行することができ、ユーザに最適な音声環境を提供することができる。
【００７６】
なお、以上においては、EPG情報解析処理を、音声処理部１３が音声データを処理する前に予め行っておく場合について説明したが、音声処理部１３が音声データを処理する際に、その番組についてEPG情報解析処理を番組種別判別部３４に実行させるようにしてもよい。その場合、番組種別判別部３４は、その番組についてのみ、上述したようなEPG情報解析処理を実行する。
【００７７】
次に、以上のように生成され記憶された番組種別情報６２を用いて、外部機器５１の音声出力設定を制御する処理について説明する。例えば、テレビジョン信号受信装置１に、シアターシステムのセンターコントローラを接続し、そのシアターシステムから音声を出力させるような場合、テレビジョン信号受信装置１は、外部機器制御処理を実行し、その接続されたセンターコントローラの、サラウンド設定等の音声出力に関する設定を制御する。なお、外部機器における制御処理に関する情報である外部機器制御設定情報（例えば、サラウンド設定に関する情報等）は、外部機器制御部３８によって、所定のプロトコルにより予め外部機器５１から読み出され、外部機器制御設定情報記憶部３９に記憶されている。
【００７８】
図８のフローチャートを参照して、外部機器制御処理を説明する。
【００７９】
最初に、番組種別判別部３４は、ステップＳ６１において、音声処理部１３より、処理対象となる番組（現在受信している番組）のチャンネル情報を取得し、ステップＳ６２において、計時部３５より現在の時刻情報を取得する。ステップＳ６３において、番組種別判別部３４は、EPGメモリ３３にアクセスし、上述のように取得したチャンネル情報および現在の時刻情報に基づいて、EPGメモリ３３が記憶しているEPG情報６１を確認し、外部機器５１に音声データを出力する、現在受信中の番組に対応するEPG情報６１を検索する。
【００８０】
EPG情報６１を確認した番組種別判別部３４は、ステップＳ６４において、外部機器５１に音声データを出力する番組に対応するEPG情報６１が存在するか否かを判定し、存在すると判定した場合、ステップＳ６５に処理を進め、EPGメモリ３３にアクセスし、そのEPG情報６１の番組（現在受信中の番組）に対応する番組種別情報６２を取得し、それを外部機器制御部３８に供給する。外部機器制御部３８は、その番組識別情報６２を取得すると、ステップＳ６６において、外部機器制御設定情報記憶部３９にアクセスし、外部機器制御設定情報を取得する。外部機器制御設定情報を取得した外部機器制御部３８は、取得した外部機器制御設定情報および番組識別情報６２に基づいて、ステップＳ６７において現在受信中の番組のジャンルに対応する外部機器制御方法（具体的な設定内容）を決定し、ステップＳ６８において、その決定した方法（設定内容）で外部機器５１を制御する。外部機器５１を制御したステップＳ６９に進む。
【００８１】
また、ステップＳ６４においてEPG情報６１が存在しないと判定した場合、番組種別判別部３４は、ステップＳ６９に処理を進める。ステップＳ６９において、外部機器接続インタフェース１７は、出力処理部１４より供給される音声データを外部機器５１に供給し、外部機器制御処理を終了する。外部機器５１は、供給される音声データを、外部機器制御部３８に指定された方法（設定）で処理し、音声を出力する。
【００８２】
以上のように外部機器５１を制御することにより、テレビジョン信号受信装置１は、番組の内容に応じて外部機器５１を制御することができ、番組の内容に最適な環境で音声をユーザに提供することができる。
【００８３】
次に、出力処理部１４が、音声処理部１３より供給された音声データに対応する音声をスピーカ１６より出力させる場合の制御処理について説明する。図９のフローチャートを参照して音声出力処理を説明する。
【００８４】
最初に、ステップＳ８１において、番組種別判別部３４は、音声処理部１３よりチャンネル情報を取得し、ステップＳ８２において計時部３５より現在の時刻情報を取得する。ステップＳ８３において、番組種別判別部３４は、EPGメモリ３３にアクセスし、上述のように取得したチャンネル情報および現在の時刻情報に基づいて、EPGメモリ３３が記憶しているEPG情報６１を確認し、音声を出力させる番組（現在受信中の番組）に対応するEPG情報６１を検索する。
【００８５】
EPG情報６１を確認した番組種別判別部３４は、ステップＳ８４において、音声を出力する番組に対応するEPG情報６１が存在するか否かを判定し、存在すると判定した場合、ステップＳ８５に処理を進め、EPGメモリ３３にアクセスし、そのEPG情報６１の番組（現在受信中の番組）に対応する番組種別情報６２を取得し、それを音声処理部１３に供給する。音声処理部１３は、その番組識別情報６２を取得すると、ステップＳ８６において、音設定情報記憶部３７にアクセスし、音設定情報を取得する。音設定情報を取得した音声処理部１３は、取得した音設定情報と番組識別情報６２に基づいて、ステップＳ８７において音声処理方法（設定内容）を決定し、ステップＳ８８において、その決定した方法（設定内容）で音声処理を実行する。すなわち、音声処理部１３は、音設定情報と番組識別情報６２に基づいて、現在受信中の番組の種別（ジャンル）に応じた、音声信号処理の設定を選択し、その設定に基づいて各処理を実行する。
【００８６】
音声に関する各処理を実行した音声処理部１３はその音声データを出力処理部１４に供給し、処理をステップＳ８９に進める。
【００８７】
また、ステップＳ８４において現在受信中の番組に対応するEPG情報６１が存在しないと判定した場合、番組種別判別部３４は、そのことを音声処理部１３に通知する。音声処理部１３は、その通知に基づいて、ステップＳ８５乃至ステップＳ８８の処理を省略し、処理をステップＳ８９に進める。ステップＳ８９において、音声データを供給された出力処理部１４は、音声データをスピーカ１６に供給し、音声データに対応する音声をスピーカより出力させる。
【００８８】
以上のように音声出力処理を実行することにより、テレビジョン信号受信装置１は、番組の内容に応じて音声信号処理を実行して出力することができ、ユーザに最適な音質で音声を提供することができる。
【００８９】
次に音声情報を記録媒体１９や、ドライブ２０に接続されたリムーバブルメディア５２に記録する場合について説明する。なお、音声データを記録する方法として、いくつか考えられるが、まず、受信した番組の音声データに対して、音声処理部１３において必要な音声処理を全て行った後に、上述の記録媒体１９やリムーバブルメディア２０に記録する方法について説明する。図１０のフローチャートを参照してこの場合の音声記録処理について説明する。なお、以下においては記録媒体１９に音声データを記録する場合について説明するが、リムーバブルメディア２０に記録する場合も同様である。
【００９０】
最初に、ステップＳ１０１において、番組種別判別部３４は、音声処理部１３よりチャンネル情報を取得し、ステップＳ１０２において計時部３５より現在の時刻情報を取得する。ステップＳ１０３において、番組種別判別部３４は、EPGメモリ３３にアクセスし、上述のように取得したチャンネル情報および現在の時刻情報に基づいて、EPGメモリ３３が記憶しているEPG情報６１を確認し、音声データを出力させる番組に対応するEPG情報６１を検索する。
【００９１】
EPG情報６１を確認した番組種別判別部３４は、ステップＳ１０４において、音声データを記録する番組（現在受信中の番組）に対応するEPG情報６１が存在するか否かを判定し、存在すると判定した場合、ステップＳ１０５に処理を進め、EPGメモリ３３にアクセスし、そのEPG情報６１の番組に対応する番組種別情報６２（現在受信中の番組の種別）を取得し、それを音声処理部１３に供給する。音声処理部１３は、その番組識別情報６２を取得すると、ステップＳ１０６において、音設定情報記憶部３７にアクセスし、音設定情報を取得する。音設定情報を取得した音声処理部１３は、取得した音設定情報と番組種別情報６２に基づいて、ステップＳ１０７において音声処理方法（設定内容）を決定し、ステップＳ１０８において、その決定した方法（設定内容）で音声信号処理を実行する。すなわち、音声処理部１３は、音設定情報と番組識別情報６２に基づいて、現在受信中の番組の種別（ジャンル）に応じた、音声信号処理の設定を選択し、その設定に基づいて各処理を実行する。
【００９２】
音声に関する各処理を実行した音声処理部１３はその音声データを出力処理部１４に供給し、処理をステップＳ１０９に進める。
【００９３】
また、ステップＳ１０４において現在受信中の番組に対応するEPG情報６１が存在しないと判定した場合、番組種別判別部３４は、そのことを音声処理部１３に通知する。音声処理部１３は、その通知に基づいて、ステップＳ１０５乃至ステップＳ１０８の処理を省略し、処理をステップＳ１０９に進める。ステップＳ１０９において、音声データを供給された出力処理部１４は、音声データを記録・再生制御部１８に供給し、それを記録媒体１９に記録させる。
【００９４】
以上のように音声記録処理を実行することにより、テレビジョン信号受信装置１は、番組の内容に応じて音声信号処理を実行し、それを記録媒体に記録することができる。これにより、テレビジョン信号受信装置１は、そのデータの再生時において、特に音声信号処理を行わなくても、番組の内容に応じた音質や環境で音声をユーザに提供することができる。
【００９５】
なお、記録時において、音声信号処理を行わず、音声信号処理方法を示す情報を音声データとともに記録するようにしてもよい。
【００９６】
図１１のフローチャートを参照してその場合の音声記録処理を説明する。
【００９７】
最初に、ステップＳ１２１において、番組種別判別部３４は、音声処理部１３よりチャンネル情報を取得し、ステップＳ１２２において計時部３５より現在の時刻情報を取得する。ステップＳ１２３において、番組種別判別部３４は、EPGメモリ３３にアクセスし、上述のように取得したチャンネル情報および現在の時刻情報に基づいて、EPGメモリ３３が記憶しているEPG情報６１を確認し、音声データを記録する番組（現在受信中の番組）に対応するEPG情報６１を検索する。
【００９８】
EPG情報６１を確認した番組種別判別部３４は、ステップＳ１２４において、音声データを記録する番組に対応するEPG情報６１が存在するか否かを判定し、存在すると判定した場合、ステップＳ１２５に処理を進め、EPGメモリ３３にアクセスし、そのEPG情報６１に対応する番組種別情報６２（現在受信中の番組の種別（ジャンル））を取得し、それを音声処理部１３に供給する。音声処理部１３は、その番組識別情報６２を取得すると、ステップＳ１２６において、音設定情報記憶部３７にアクセスし、音設定情報を取得する。音設定情報を取得した音声処理部１３は、取得した音設定情報と番組種別情報６２に基づいて、ステップＳ１２７において音声信号処理方法を決定し、ステップＳ１２８において、その決定した方法で音声信号処理を実行する。音声信号処理を実行した音声処理部１３はその音声データを出力処理部１４に供給し、処理をステップＳ１２９に進める。
【００９９】
また、ステップＳ１２４において、現在受信中の番組に対応するEPG情報６１が存在しないと判定した場合、番組種別判別部３４は、そのことを音声処理部１３に通知する。音声処理部１３は、その通知に基づいて、ステップＳ１２５乃至ステップＳ１２８の処理を省略し、処理をステップＳ１２９に進める。ステップＳ１２９において、音声データを供給された出力処理部１４は、音声データを記録・再生制御部１８に供給し、それを記録媒体１９に記録させる。
【０１００】
以上のように音声記録処理を実行することにより、テレビジョン信号受信装置１は、番組の内容に応じて音声信号処理方法を決定し、それを音声情報とともに記録媒体に記録することができ、再生時にその方法で音声信号処理を行うことにより、番組の内容に応じた最適な音質や環境で音声を提供することができる。例えば、テレビジョン信号受信装置１以外の装置において、この記録媒体（特にリムーバブルメディア２０）に記録された音声データを再生する場合、再生時に音声処理を行うことにより、その装置が有する機能に応じて処理内容を適宜変更することも可能になるので、例えば、記録時と再生時の環境の違いによる音声信号処理に関する不具合の発声を抑制することができる。
【０１０１】
なお、音声処理部１３は、音声信号処理以外にも、音声データを記録する際の圧縮率の設定を変更するようにしてもよい。図１２のフローチャートを参照して、音声記録処理について説明する。
【０１０２】
最初に、ステップＳ１４１において、番組種別判別部３４は、音声処理部１３よりチャンネル情報を取得し、ステップＳ１４２において計時部３５より現在の時刻情報を取得する。ステップＳ１４３において、番組種別判別部３４は、EPGメモリ３３にアクセスし、上述のように取得したチャンネル情報および現在の時刻情報に基づいて、EPGメモリ３３が記憶しているEPG情報６１を確認し、音声データを記録させる番組（現在受信中の番組）に対応するEPG情報６１を検索する。
【０１０３】
EPG情報６１を確認した番組種別判別部３４は、ステップＳ１４４において、音声データを記録する番組（現在受信中の番組）に対応するEPG情報６１が存在するか否かを判定し、存在すると判定した場合、ステップＳ１４５に処理を進め、EPGメモリ３３にアクセスし、そのEPG情報６１の番組に対応する番組種別情報６２を取得し、それを音声処理部１３に供給する。音声処理部１３は、その番組種別情報６２を取得すると、ステップＳ１４６において、音設定情報記憶部３７にアクセスし、音設定情報を取得する。音設定情報を取得した音声処理部１３は、取得した音設定情報および番組種別情報６２に基づいて、ステップＳ１４７において記録時の圧縮率を決定し、ステップＳ１４８において、その決定した圧縮率で音声データを圧縮する。圧縮処理を実行した音声処理部１３はその音声データを出力処理部１４に供給し、処理をステップＳ１４９に進める。
【０１０４】
また、ステップＳ１４４においてEPG情報６１が存在しないと判定した場合、番組種別判別部３４は、そのことを音声処理部１３に通知する。音声処理部１３は、その通知に基づいて、ステップＳ１４５乃至ステップＳ１４８の処理を省略し、処理をステップＳ１４９に進める。ステップＳ１４９において、音声データを供給された出力処理部１４は、音声データを記録・再生制御部１８に供給し、それを記録媒体１９に記録させる。
【０１０５】
以上のように音声記録処理を実行することにより、テレビジョン信号受信装置１は、番組の内容に応じて圧縮率を設定し、それを記録媒体に記録することができるので、ユーザに番組の内容に最適な音質で音声を提供することができる。
【０１０６】
以上のように記録媒体に記録された音声データを再生する場合について説明する。図１３のフローチャートを参照して音声再生処理について説明する。
【０１０７】
最初に、ステップＳ１６１において再生制御部７１は、音声データを記録媒体より読み出して再生する。そして、ステップＳ１６２において再生制御部７１は、ステップＳ１６２において音声処理方法情報が記録媒体に存在するか否かを判定し、存在すると判定した場合、ステップＳ１６３に処理を進め、さらに、音声処理方法情報を読み出し、音声データとともに音声処理部１３に供給する。ステップＳ１６４において、音声処理部１３は、音声処理情報に従って音声処理を実行し、それを出力処理部１４に供給すると、ステップＳ１６６に処理を進める。
【０１０８】
また、ステップＳ１６２において記録媒体に音声処理方法情報が存在していない場合、再生制御部７１は、音声データを音声処理部１３に供給し、ステップＳ１６５に処理を進める。ステップＳ１６５において、音声処理部１３は、所定の音声処理を実行し、それを出力処理部１４に供給すると、ステップＳ１６６に処理を進める。
【０１０９】
ステップＳ１６６において、出力処理部１４は、音声をスピーカに供給し、処理を終了する。
【０１１０】
以上のように再生することにより、テレビジョン信号受信装置１は、番組の内容に応じて音声処理を施し、ユーザに番組の内容に最適な音質で音声を提供することができる。
【０１１１】
上述した一連の処理は、ハードウェアにより実行させることもできるし、ソフトウエアにより実行させることもできる。この場合、例えば、図１のテレビジョン信号受信装置１は、図１４に示されるようなパーソナルコンピュータとして構成されるようにしてもよい。
【０１１２】
図１４において、パーソナルコンピュータ１００のCPU（Central Processing Unit）１０１は、ROM（Read Only Memory）１０２に記憶されているプログラム、または記憶部１１３からRAM（Random Access Memory）１０３にロードされたプログラムに従って各種の処理を実行する。RAM１０３にはまた、CPU１０１が各種の処理を実行する上において必要なデータなども適宜記憶される。
【０１１３】
CPU１０１、ROM１０２、およびRAM１０３は、バス１０４を介して相互に接続されている。このバス１０４にはまた、入出力インタフェース１１０も接続されている。
【０１１４】
入出力インタフェース１１０には、キーボード、マウスなどよりなる入力部１１１、CRT、LCDなどよりなるディスプレイ、並びにスピーカなどよりなる出力部１１２、ハードディスクなどより構成される記憶部１１３、モデムなどより構成される通信部１１４が接続されている。通信部１１４は、インターネットを含むネットワークを介しての通信処理を行う。
【０１１５】
入出力インタフェース１１０にはまた、必要に応じてドライブ１１５が接続され、磁気ディスク、光ディスク、光磁気ディスク、或いは半導体メモリなどのリムーバブルメディア１２１が適宜装着され、それらから読み出されたコンピュータプログラムが、必要に応じて記憶部１１３にインストールされる。
【０１１６】
上述した一連の処理をソフトウエアにより実行させる場合には、そのソフトウエアを構成するプログラムが、ネットワークや記録媒体からインストールされる。
【０１１７】
この記録媒体は、例えば、図１４に示されるように、装置本体とは別に、ユーザにプログラムを配信するために配布される、プログラムが記録されている磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなるリムーバブルメディア１２１により構成されるだけでなく、装置本体に予め組み込まれた状態でユーザに配信される、プログラムが記録されているROM１０２や、記憶部１１３に含まれるハードディスクなどで構成される。
【０１１８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１１９】
また、本明細書において、システムとは、複数の装置により構成される装置全体を表すものである。
【図面の簡単な説明】
【０１２０】
【図１】本発明を適用したテレビジョン信号受信装置の構成例を示すブロック図である。
【図２】図１のEPGメモリに記憶されるデータを説明する図である。
【図３】図１のEPGメモリに記憶されるテーブルの構成例を示す図である。
【図４】図１の記録・再生制御部１８の構成例を説明するブロック図である。
【図５】音設定情報記憶処理の例を説明するフローチャートである。
【図６】EPG取得処理の例を説明するフローチャートである。
【図７】EPG情報解析処理の例を説明するフローチャートである。
【図８】外部機器制御処理の例を説明するフローチャートである。
【図９】音声出力処理の例を説明するフローチャートである。
【図１０】音声記録処理の例を説明するフローチャートである。
【図１１】音声記録処理の他の例を説明するフローチャートである。
【図１２】音声記録処理の、さらに他の例を説明するフローチャートである。
【図１３】音声再生処理の例を説明するフローチャートである。
【図１４】本発明を適用したパーソナルコンピュータの構成例を示すブロック図である。
【符号の説明】
【０１２１】
１  テレビジョン信号受信装置，  １１  チューナ，  １３  音声処理部，  １４  出力処理部，  １６  スピーカ，  １７  外部機器接続インタフェース，  １８  記録・再生制御部，  ３１  EPG取得部，  ３２  通信部，  ３３  EPGメモリ，  ３４  番組種別判別部，  ３５  計時部，  ３７  音設定情報記憶部，  ３８  外部機器制御部，  ３９  外部機器制御設定情報記憶部，  ５１  外部機器，  ６１  EPG情報，  ６２  番組種別情報，  ６３  テーブル，  ６３Ｅ  番組種別，  ７１  再生制御部，  ７２  記録制御部，  １００  パーソナルコンピュータ
【図１】
2006025036.tif 000003
【図２】
2006025036.tif 000004
【図３】
2006025036.tif 000005
【図４】
2006025036.tif 000006
【図５】
2006025036.tif 000007
【図６】
2006025036.tif 000008
【図７】
2006025036.tif 000009
【図８】
2006025036.tif 000010
【図９】
2006025036.tif 000011
【図１０】
2006025036.tif 000012
【図１１】
2006025036.tif 000013
【図１２】
2006025036.tif 000014
【図１３】
2006025036.tif 000015
【図１４】
2006025036.tif 000016